(57)【特許請求の範囲】
【請求項１】
器具本体と、該器具本体内にあり水を貯水する貯水室と、該貯水室に接続し前記貯水室内の水を排水タンク内へ導く排水管と、該排水管の途中に設置され弁を開閉して管内の排水の流動を制御する排水弁と、前記排水タンク内が満水かを判断する満水センサと、前記貯水室内の水から加湿空気を発生させる加湿空気発生手段と、該加湿空気発生手段で発生した加湿空気を室内に供給するミスト運転を実施する送風ファンと、前記満水センサで前記排水タンク内が満水だと判断したら前記排水タンク内の水を排水するよう報知する報知手段と、前記ミスト運転実施後に前記排水弁を開放して前記貯水室内の水を排水する排水動作の終了後、前記満水センサでの検知結果に係わらず前記報知手段で前記排水タンク内の水を排水するよう報知する制御部とを備え、
前記排水タンクが前記器具本体から抜き出されたこと、及び前記器具本体内に再度設置されたことを検知可能なタンク有無検知手段を備え、
前記制御部は、前記タンク有無検知手段により前記排水動作の終了後に前記排水タンクが前記器具本体から抜き出された後、再度前記器具本体内に設置されたと判断できなければ、前記ミスト運転の再開を禁止することを特徴とする加湿装置。
【請求項２】
前記タンク有無検知手段は、前記満水センサで構成されることを特徴とした請求項１記載の加湿装置。
【請求項３】
前記報知手段は、前記器具本体の操作部上にあり前記排水タンク内の水の排水が必要な時に点灯または点滅する排水ランプであることを特徴とする請求項１または２記載の加湿装置。
【請求項４】
前記加湿空気発生手段は、前記貯水室内に下端を水没させ回転により水を汲み上げて飛散させる筒状の回転体と、該回転体を回転駆動させるミストモータと、前記回転体の回転により飛散された水が衝突する衝突体とで構成されていることを特徴とする請求項１から３のいずれか１項に記載の加湿装置。 
【発明の詳細な説明】
【技術分野】
【０００１】
この発明は、貯水室内の自ら加湿空気を発生させる加湿空気発生手段で発生した加湿空気を室内へ送風する加湿装置に関するものである。 
【背景技術】
【０００２】
従来、この種のものにおいて、器具本体内に設置された加湿空気発生手段と送風ファンにより室内へ加湿空気を送風するミスト運転の実施中、運転スイッチが操作されてミスト運転の終了が指示されたら、貯水室内の水が排水タンク内へ導かれるよう排水弁を調節して貯水室内の水を排水タンク内へ流入させる排水動作を実行し、器具本体内に設置された満水センサによって排水タンク内が満水だと検知したら、排水タンク内の水を洗面所等に排水するよう報知するものがあった。（例えば、特許文献１）
【先行技術文献】
【特許文献】
【０００３】
【特許文献１】特開２０１５−１５８２８１号公報
【発明の概要】
【発明が解決しようとする課題】
【０００４】
しかし、この従来のものでは、満水センサによる満水検知に基づき排水タンク内の水を排水するよう報知する制御だと、一回のミスト運転後の排水動作で排水タンク内が満水にならなければ排水の報知がされないことから、使用者が排水タンク内の水を洗面所等に排水し忘れた状態でミスト運転を再開させる場合が考えられ、この場合、再開させたミスト運転終了後の排水動作の途中で排水タンク内が満水になることで満水センサにより排水動作が中断され、使用者が排水タンク内の水を洗面所等に排水して排水動作を再開させる必要があったため使い勝手が悪く、改善の余地があった。
【課題を解決するための手段】
【０００５】
上記課題を解決するために、本発明の請求項１では、器具本体と、該器具本体内にあり水を貯水する貯水室と、該貯水室に接続し前記貯水室内の水を排水タンク内へ導く排水管と、該排水管の途中に設置され弁を開閉して管内の排水の流動を制御する排水弁と、前記排水タンク内が満水かを判断する満水センサと、前記貯水室内の水から加湿空気を発生させる加湿空気発生手段と、該加湿空気発生手段で発生した加湿空気を室内に供給するミスト運転を実施する送風ファンと、前記満水センサで前記排水タンク内が満水だと判断したら前記排水タンク内の水を排水するよう報知する報知手段と、前記ミスト運転実施後に前記排水弁を開放して前記貯水室内の水を排水する排水動作の終了後、前記満水センサでの検知結果に係わらず前記報知手段で前記排水タンク内の水を排水するよう報知する制御部とを備え、
前記排水タンクが前記器具本体から抜き出されたことと、前記器具本体内に再度設置されたことを検知可能なタンク有無検知手段を備え、
前記制御部は、前記タンク有無検知手段により前記排水動作の終了後に前記排水タンクが前記器具本体から抜き出された後、再度前記器具本体内に設置されたと判断できなければ、前記ミスト運転の再開を禁止することを特徴とした。
【０００６】
また、請求項２では、前記タンク有無検知手段は、前記満水センサで構成されることを特徴とした。
【０００７】
また、請求項３では、前記報知手段は、前記器具本体の操作部上にあり前記排水タンク内の水の排水が必要な時に点灯または点滅する排水ランプであることを特徴とした。 
【０００８】
また、請求項４では、前記加湿空気発生手段は、前記貯水室内に下端を水没させ回転により水を汲み上げて飛散させる筒状の回転体と、該回転体を回転駆動させるミストモータと、前記回転体の回転により飛散された水が衝突する衝突体とで構成されていることを特徴とした。
【発明の効果】
【０００９】
この発明によれば、タンク有無検知手段により排水動作の終了後に排水タンクが器具本体から抜き出された後、再度器具本体内に設置されたと判断できなければ、ミスト運転の再開を禁止するので、排水動作の終了後に使用者が器具本体から排水タンクを抜き出し、排水タンク内の水を洗面所等へ排水して再度器具本体内に設置したと推定できなければ、ミスト運転の再開を禁止するため、ミスト運転再開時の排水動作中に排水タンク内が満水となって排水動作が中断される事態を未然に防止することができるため、使用者の使い勝手が向上する。
【００１０】
また、タンク有無検知手段は、満水センサで構成されるので、器具本体内の排水タンクの存在有無を検知する手段を新たに設置する必要がないため、製品コストの増加を防止することができる。
【００１１】
また、報知手段は、器具本体の操作部上にあり排水タンク内の水の排水が必要な時に点灯または点滅する排水ランプであるので、排水タンク内の水の排水が必要であると使用者が簡単に理解することができるため、使用者の使い勝手が向上する。
【００１２】
また、加湿空気発生手段は、貯水室に下端を水没させ回転により水を汲み上げて飛散させる筒状の回転体と、該回転体を回転駆動させるミストモータと、回転体の回転により飛散された水が衝突する衝突体とで構成されているので、貯水室内の水を回転体で汲み上げて衝突体に衝突させる簡易な構成によって加湿空気を多量に発生させることができるため、組付けが容易であり低コストで加湿空気発生手段を構成できる。
【図面の簡単な説明】
【００１３】
【図１】この発明の一実施形態の器具本体の外観を説明する斜視図
【図２】同実施形態の概略構成図
【図３】同実施形態の制御ブロック図
【図４】同実施形態の操作部を説明する図
【図５】同実施形態のミスト運転開始時の制御を説明するフローチャート
【図６】同実施形態の乾燥運転以後の制御を説明するフローチャート
【発明を実施するための形態】
【００１４】
次に、この発明の一実施形態におけるミスト発生装置を図に基づいて説明する。 
１は略直方形状の器具本体、２は器具本体１の上部を構成する上面パネル３に形成された送風口、４は該送風口２の両端に軸支され上面パネル３と水平な方向から垂直な方向まで回動可能なルーバー、５は複数のスイッチが備えられ各種操作指令を行う操作部、６は器具本体１正面中央部に形成され器具本体１内に空気を取り込む吸い込み口、７は器具本体１下部に設置され取っ手を引くことで内部に設置された排水タンク８の取り出しを可能とする排水タンク収納部、９は該排水タンク収納部７の横にあり内部に設置された給水タンク１０の給水口を収納する給水口扉、１１は該給水口扉９の下部に形成され給水タンク１０内に残存する水量を目視可能な水位窓、１２は器具本体１底部に設置され器具本体１の移動を可能とするタイヤ部である。 
【００１５】
１３は器具本体１内に設置され所定量の水を貯水する貯水室であり、この貯水室１３内には水に下端を水没させ駆動軸に軸支された筒状の回転体１４が備えられている。 
【００１６】
前記回転体１４は、中空逆円錐形で上方に向かって径が徐々に拡大するものであり、駆動軸に接続され回転体１４を回転駆動させるミストモータ１５を駆動させ、回転体１４が回転することによる回転の遠心力で貯水室１３内の水を汲み上げ、回転体１４の外壁および内壁を伝わせて水を押し上げて、回転体１４の外壁を伝わせて押し上げた水を周囲に飛散させると共に、回転体１４の内壁を伝わせて押し上げた水を回転体１４の上端に形成された複数の図示しない飛散口から周囲に飛散させる。 
【００１７】
１６は回転体１４の上部外周に所定間隔を離間させて位置し、回転体１４と共に回転する円筒状の多孔体で、該多孔体１６には、その全周壁に多数のスリットや金網やパンチングメタル等から成る衝突体としての多孔部１７が設置されており、回転体１４の回転による遠心力で貯水室１３内の水を汲み上げると共に空気を飛散させ、多孔部１７を通過した水滴が破砕されることで、水の粒子を微細化してナノメートル（ｎｍ）サイズのミストが生成すると共に、水の粒子の微細化によるレナード効果でマイナスイオンを多量に発生させるものである。 
【００１８】
１８は所定の回転数で駆動することで空気を流動させる送風ファンであり、器具本体１の正面に形成された吸い込み口６から吸い込んだ室内空気を吹き出して、貯水室１３と送風通路１９とを通過させて送風口２から送風することで、貯水室１３内で発生したナノミストとマイナスイオンとを含んだ加湿空気を室内へ供給する。 
【００１９】
２０は貯水室１３内に設置され貯水を加熱する加熱ヒータであり、貯水室１３の外壁に設置され貯水温度を検知する貯水温度センサ２１で検知される温度が所定温度となるよう、ＯＮ／ＯＦＦ状態を適宜切り替える。 
【００２０】
２２は貯水室１３内に設置されフロートの上下により水位を検知する水位センサであり、貯水室１３内の水位が低下して所定水位以下になったらＯＦＦ信号を出力し、水位が上昇して所定水位以上になったらＯＮ信号を出力し、更に水位が上昇して貯水室１３内が満水となったら満水信号を出力する。 
【００２１】
２３は一端が貯水室１３に接続し他端が給水タンク１０の底部に所定のクリアランスを設けて設置された給水管であり、該給水管２３の配管途中には、給水タンク１０内の水を貯水室１３内まで流動させる給水ポンプ２４と、給水管２３内を流動する水の流量を検知する流量センサ２５とが設置されている。 
【００２２】
２６は一端が貯水室１３の底部に接続し他端が排水タンク８の排水流入口２７上部に設置された排水管であり、該排水管２６の配管途中には、電磁弁を開閉して貯水室１３内の水の排水を制御する排水弁２８が設置されている。 
【００２３】
２９は前記送風口２内に設置され室内へ向けて送風される加湿空気の温度を検知する送風温度センサ、３０は送風ファン１８の近傍に設置され吸い込み口６から吸い込まれた室内空気の温度を検知する吸気温度センサ、３１は前記吸気温度センサ３０の近傍に設置され器具本体１が設置された室内の湿度を検知する湿度センサであり、各センサで検知された温度や湿度に基づいてミストモータ１５や送風ファン１８の回転数を変化させ、加熱ヒータ２０のＯＮ／ＯＦＦ状態を切り替える。 
【００２４】
３２は送風通路１９内に設置されたフィルターであり、貯水室１３内で発生したナノミストとマイナスイオンとを含む加湿空気中の大粒の水滴を補水し、送風口２まで到達させないようにすることで、送風口２付近や器具本体１の設置面が濡れることを防止する。 
【００２５】
３３は一端が貯水室１３の壁面に接続され他端が給水タンク１０の給水流入口３４上部に設置されたオーバーフロー管であり、万一水位センサ２２が故障して満水検知ができなかった時、給水ポンプ２４が駆動し続けて貯水室１３内への給水が停止せずとも、オーバーフロー管３３を通じて給水タンク１０内へ水を戻すことができるため、貯水室１３から水が溢れ出すことを確実に防止することができる。 
【００２６】
３５は排水タンク８内に設置されたフロート、３６は該フロート３５が動作することで上下に動作するマグネット、３７は該マグネット３６の磁力の有無でＯＮ／ＯＦＦ状態を切り替えて排水タンク８が満水かを検知する満水センサであり、排水タンク８内が満水状態でなければマグネット３６と満水センサ３７との距離が近く、満水センサ３７によりマグネット３６の磁力を検知することができるため、満水センサ３７はＯＮ状態を出力し、排水タンク８内の水が増えてフロート３５が徐々に上昇するとマグネット３６と満水センサ３７との距離が徐々に広がり、排水タンク８が満水近くになるとマグネット３６の磁力を満水センサ３７が検知できなくなることで、満水センサ３７がＯＦＦ信号を出力して排水弁２８を閉止することで、排水タンク８から水が漏れ出す事態を確実に防止する。
【００２７】
また、前記満水センサ３７は、排水タンク８内が満水状態でＯＦＦ信号を出力している時、排水タンク収納部７から排水タンク８を取り出して洗面所等で排水タンク８内の水を捨てた後、再び排水タンク収納部７に排水タンク８を設置して器具本体１内に戻すとＯＮ信号に切り替わるため、排水タンク８が満水状態で器具本体１内にある状態から、器具本体１から排水タンク８が取り出され排水タンク８内の水を捨てた後、再び器具本体１内に排水タンク８が設置されたことが検知可能である。
【００２８】
また、前記満水センサ３７は、排水タンク８内が満水状態でない時に器具本体１内の排水タンク収納部７に設置されていればＯＮ信号を出力し、排水タンク収納部７から排水タンク８が取り出されることでＯＦＦ信号に切り替わることから、排水タンク８が器具本体１内に存在するかを検知可能なタンク有無検知手段としても機能するものである。
【００２９】
３８はルーバー４の図示しない支軸と接続してルーバー４を所定角度まで回動させるルーバーモータであり、ミスト運転の開始時や停止時にルーバー４を所定の角度まで回動させる。 
【００３０】
操作部５には、運転開始及び停止を指示する運転スイッチ３９と、ミストモータ１５の回転数を所定値だけ低下させて運転音の低下を図る静音運転を実行するひかえめスイッチ４０と、加湿空気を室内に供給するミスト運転の開始あるいは停止のタイマー運転の実施有無を設定するタイマー入／切スイッチ４１と、現在時刻の設定を行う時計合せスイッチ４２と、加湿空気を室内に供給するミスト運転の開始時刻や停止時刻を設定するタイマー合せスイッチ４３と、室内へ供給する加湿空気量を３段階の加湿レベルから選択する加湿スイッチ４４と、室内へ供給する加湿空気の風量を３段階の風量レベルから選択する風量スイッチ４５と、前記加湿スイッチ４４や前記風量スイッチ４５で設定された加湿レベルや風量レベルを表示する表示部４６と、該表示部４６での表示項目を加湿、風量レベルから湿度、現在時刻等に変化させる表示切り替えスイッチ４７と、スイッチを３秒押しすると排水弁２８を開放して貯水室１３内の水を強制的に排水する排水スイッチ４８と、運転停止以外の操作を禁止するチャイルドロックスイッチ４９とが備えられている。 
【００３１】
また、操作部５には各スイッチに対応したランプが備えられており、前記運転スイッチ３９が操作されたら点灯する運転ランプ５０と、前記タイマー入／切スイッチ４１が操作されタイマー入り制御かタイマー切り制御かのいずれかで設定されたモードのランプを点灯させるタイマーランプ５１と、前記表示部４６で表示する検知湿度や現在時刻の午前、午後の項目に応じて該当する所定のランプが点灯する表示項目ランプ５２と、前記排水スイッチ４８が操作された時や排水タンク８内が満水となって満水センサ３７がＯＦＦ状態に切り替わった時に点灯する報知手段としての排水ランプ５３と、前記チャイルドロックスイッチ４９が操作されチャイルドロックが設定された時に点灯するチャイルドロックランプ５４とが備えられている。 
【００３２】
５５は各センサで検知された検知値や操作部５上に備えられた各スイッチでの設定内容に基づき運転内容や弁の開閉を制御するマイコンで構成された制御部であり、ミストモータ１５を所定の回転数で駆動させるミストモータ制御手段５６と、送風ファン１８を所定の回転数で駆動させる送風ファン制御手段５７と、加熱ヒータ２０のＯＮ／ＯＦＦ状態を変化させて貯水室１３内の水温を制御する加熱ヒータ制御手段５８と、特定の動作開始時から経過した時間をカウントする計時手段５９とが備えられている。 
【００３３】
次に、一実施形態での運転開始から終了までの動作について図５のフローチャートに基づいて説明する。 
まず、操作部５の運転スイッチ３９が操作されたか、もしくはタイマー入／切スイッチ４１で設定された運転開始時刻になったら、制御部５５は、排水弁２８を開放して貯水室１３内の水を排水し、水位センサ２２でＯＦＦ信号が検知されたら給水ポンプ２４の駆動を開始して給水管２３内にある水を排水して、所定時間経過したら排水弁２８を閉止する水入替モードを行う（ステップＳ１０１）。 
【００３４】
ステップＳ１０１の水入替モードが終了したら、制御部５５は、給水タンク１０内の水を給水管２３を介して貯水室１３内へ供給し、水位センサ２２でＯＮ信号が検知されたら所定量の水が貯水室１３内に供給されたとして給水ポンプ２４の駆動を停止した後、送風ファン１８を所定時間だけ駆動させ回転体１４に付着した大粒の水滴を落とす立ち上げモードを行う（ステップＳ１０２）。 
【００３５】
ステップＳ１０２の立ち上げモードが終了したら、制御部５５は、ルーバーモータ３８を駆動させルーバー４を器具本体１の上面に対して垂直となる位置で停止させ、加湿スイッチ４４及び風量スイッチ４５で設定された加湿レベルと風量レベルに基づいて、ミストモータ１５と送風ファン１８とが所定の回転数で駆動するようミストモータ制御手段５６と送風ファン制御手段５７とでそれぞれの回転数を制御し、貯水温度センサ２１の検知値に基づいて加熱ヒータ２０のＯＮ／ＯＦＦ状態を加熱ヒータ制御手段５８で切り替えて制御することで、貯水室１３内の貯水温度を加湿レベルと風量レベルとに合わせた所定の温度範囲内にするミスト運転を実行する通常運転モードを行う（ステップＳ１０３）。 
【００３６】
ここで通常運転モードを詳述すると、ミストモータ制御手段５６によりミストモータ１５を８００〜１４００ｒｐｍの範囲内で回転数を変化させ、また、送風ファン制御手段５７で送風ファン１８を４００〜８００ｒｐｍの範囲内で回転数を変化させることで、風量レベルに合った回転数にしたミスト運転を行い、更に、送風温度センサ２９で検知される温度が加湿レベルに合った値となるよう貯水室１３内の貯水温度を変化させ、貯水温度センサ２１で検知される温度が約３０〜４０℃の範囲内で推移するように加熱ヒータ２０のＯＮ／ＯＦＦ状態を加熱ヒータ制御手段５８で切り替えて制御する。 
【００３７】
ステップＳ１０３の通常運転モードを開始した後に通常運転モードの途中で運転スイッチ３９がＯＦＦ操作されたか、あるいはタイマー入／切スイッチ４１で設定されたミスト運転の停止時刻になったら、制御部５５は、加熱ヒータ２０をＯＮ状態にして水を加熱し、貯水温度センサ２１での検知値が６０℃前後で推移するよう加熱ヒータ２０のＯＮ／ＯＦＦ状態を切り替え、貯水室１３内にある水の除菌を行う除菌運転を１０分間実行する。 
そして、制御部５５は、前記除菌運転開始から１０分経過したと判断したら、ミストモータ１５と送風ファン１８とを所定の回転数で駆動させて貯水室１３内の水温を低下させる冷却運転を実行する。 
更に、制御部５５は、貯水温度センサ２１での検知温度が４０℃以下になったと判断して冷却運転を終了させたら、ミストモータ１５を停止させ送風ファン１８の回転数を上昇させて強風である８００ｒｐｍにして、排水弁２８を開弁して貯水室１３内の水を排水タンク８内へ排水する排水動作を実行し、前記除菌運転、冷却運転及び排水動作で構成されるクリーニングモードを通常モード後に実施する（ステップＳ１０４）。 
【００３８】
ステップＳ１０４のクリーニングモードが終了したら、制御部５５は、送風ファン制御手段５７により送風ファン１８を強風となる回転数の８００ｒｐｍで所定時間である除菌運転の開始から４時間が経過するまで駆動させ、貯水室１３内を乾燥させる乾燥モードを実施し（ステップＳ１０５）、前記除菌運転の開始から４時間経過したら送風ファン１８を停止させ乾燥モードを終了させ、ルーバーモータ３８を駆動させてルーバー４を閉止することで運転停止となる。 
【００３９】
次に、乾燥運転開始後の制御内容について、図６のフローチャートを用いて詳述する。
まず、排水動作が終了し乾燥運転を開始したら制御部５５は、計時手段５９でカウントした除菌運転の開始時からの経過時間が４時間かを判断し（ステップＳ２０１）、除菌運転開始からの経過時間が４時間以上であれば、送風ファン１８を停止させ、排水弁２８を閉止し、運転ランプ５０を消灯させ、排水ランプ５３を点灯させることで、貯水室１３周辺の乾燥を終了させて加湿装置の運転が終了したことを示し、排水ランプ５３を点灯することで排水タンク８内の水を洗面所等に排水する必要があることを使用者に報知する（ステップＳ２０２）。
また、ステップＳ２０１で計時手段５９によりカウントした除菌運転の開始時から経過した時間が４時間未満であれば、制御部５５は、計時手段５９でのカウントを継続してステップＳ２０１の判断を繰り返す。
【００４０】
前記ステップＳ２０２で各種駆動部に所定の動作を実行させたら、制御部５５は、満水センサ３７での検知出力の結果がＯＦＦ状態からＯＮ状態へと順次変わったか判断し（ステップＳ２０３）、出力結果がＯＦＦ状態からＯＮ状態へと順次変わっていれば、使用者が排水タンク収納部７内から排水タンク８を取り出し、排水タンク８内の水を洗面所等に排水して排水タンク収納部７へ排水タンク８を再度設置し器具本体１内へ戻したので、運転スイッチ３９が操作されミスト運転が再開されても、ミスト運転の前後に実施する排水動作時に排水タンク８が満水となって運転が中断することがないと判断し、排水ランプ５３を消灯して運転スイッチ３９が操作されたら再運転が可能な状態にする（ステップＳ２０４）。
【００４１】
前記ステップＳ２０３で満水センサ３７で検知された出力結果がＯＦＦ状態からＯＮ状態へ順次切り替わっていなければ、制御部５５は、運転スイッチ３９が操作され再運転の指示があったか判断し（ステップＳ２０５）、運転スイッチ３９が操作され再運転の指示があったと判断したら、排水タンク８内に排水動作によって貯水室１３から流入した排水が溜まっており、再運転時に実施する排水動作中に排水タンク８内が満水になって運転が中断されるとして再運転を許可せず、排水ランプ５３を点滅させることで排水タンク８内の水を洗面所等へ排水するよう促す（ステップＳ２０６）。
また、ステップＳ２０５で運転スイッチ３９が操作されていないと判断したら、制御部５５は前記ステップＳ２０３の判断を繰り返す。
【００４２】
以上のように、ミスト運転終了後に排水弁２８を開放して貯水室１３内の水を排水タンク８内へ流入させる排水動作を実施し、貯水室１３内を乾燥させる乾燥運転が終了したら排水ランプ５３を点灯させ排水タンク８内の水を排水するよう促すことで、排水動作の終了後に使用者が排水タンク８内の水を洗面所等で排水する意識を持つことができ、再運転時の排水動作中に排水タンク８内が満水となって運転が中断される虞がなくなるため、使用者の使い勝手が向上する。
【００４３】
また、乾燥運転が完了し全ての動作が終了した後、満水センサ３７によって排水タンク８が排水タンク収納部７から抜き差しされたと判断できなければ、再運転の指示があっても受け付けず排水ランプ５３を点滅させる制御にしたので、排水タンク８内の水を洗面所等へ排水しないまま再運転されることを抑制し、再運転時の排水動作中に排水タンク８内が満水となって運転が中断することがないため、排水タンク収納部７内に排水タンク８の存在有無の検知専用の器具を設置することなく排水タンク８の存在有無を検知することが可能なので製品コストの増加を防止し、かつ使用者の使い勝手が向上する。
【００４４】
なお、本実施形態では報知手段として排水ランプ５３を用いた制御で説明しているが、これに限らず、器具本体１の所定箇所に音声を発生させるスピーカを備え、乾燥運転終了後に音声で排水タンク８内の水を排水するよう案内する制御であってもよく、排水動作の終了後に排水タンク８内の水を捨てることが使用者に対して伝わる報知手段であればよいものである。
【００４５】
また、本実施形態ではタンク検知手段として満水センサ３７を用いた制御で説明しているが、これに限らず、排水タンク収納部７内に赤外線センサや重量センサ等を設置し、排水タンク８の設置有無を判断する制御であってもよく、排水タンク収納部７内において排水タンク８の有無が判断可能な手段であればよいものである。
【００４６】
また、本実施形態における構成や制御内容は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。 
【符号の説明】
【００４７】
１    器具本体 
２    送風口 
３    上面パネル 
８    排水タンク 
１３    貯水室 
１４    回転体 
１５    ミストモータ 
１７    多孔部（衝突体） 
１８    送風ファン 
２６    排水管
２８    排水弁
３７    満水センサ（タンク有無検知手段）
５３    排水ランプ（報知手段）
５５    制御部 
【図１】
0006475602.tif 000002
【図２】
0006475602.tif 000003
【図３】
0006475602.tif 000004
【図４】
0006475602.tif 000005
【図５】
0006475602.tif 000006
【図６】
0006475602.tif 000007